(57)【特許請求の範囲】
【請求項１】
孔を伴って形成された工具保持脚部（１８）を解放可能に保持するための締め付け装置であって：
前方に面する表面、及び前記前方に面する表面と交差し、かつ前記工具保持脚部を受け入れるために前記前方に面する表面から後方に延伸する孔（１４）を有するハウジング（１３）；
前記孔の内側で往復運動可能に設置された引っ張り棒（１９）であって、前端部において、前記工具保持脚部の前記孔の内側の係合構成（４７）と係合するように適合された係合手段（２３）を備え、後部において、前記引っ張り棒の長手方向の軸（２７）に関して横方向に前記引っ張り棒を通って延伸する引っ張り棒開口部（２８）を伴って形成された、引っ張り棒；並びに
前記引っ張り棒開口部を通って延在し、かつカム構成を備えるカムシャフト（１６）であって、前記ハウジング内で回転可能にジャーナル支持され、かつ前記カムシャフトを回転させるときの、前記カム構成によって前記ハウジングに関する前記引っ張り棒の軸方向の移動を与えるように適合された、カムシャフトを備え；
前記カムシャフト（１６）が、第１及び第２の間隔が空けられたカム構成（３４、３５）、並びに前記第１及び第２のカム構成の間に配置された中間の円形円筒部分（３６）を備えることを特徴とし、
前記第１及び第２のカム構成は、前記引っ張り棒（１９）の対向する側の前記ハウジング（１３）内において、それぞれ、第１及び第２の台座開口部（３７、３８）内で回転可能にジャーナル支持される一方で、前記中間の円形円筒部分は前記引っ張り棒開口部（２８）を通って延在し、
前記カム構成の各々は、第１のカム表面（３４’、３５’）であって、各々が角度毎に同じカムピッチを有し、かつ前記引っ張り棒をロックされた位置へ後方に促すように作動可能であり、前記ロックされた位置において前記工具保持脚部を前記締め付け装置にしっかりとロックする、第１のカム表面（３４’、３５’）と、同様に、第２のカム表面（３４”、３５”）であって、各々が角度毎に同じカムピッチを有し、かつ前記引っ張り棒をロックされていない位置へ前方に確実に移動させるように作動可能であり、前記ロックされていない位置において前記工具保持脚部は前記締め付け装置から解放可能である、第２のカム表面（３４”、３５”）とを備え、
前記引っ張り棒は、前記前方に面する表面を通して前記孔（１４）の中に挿入可能であり、並びに
前記第２のカム構成（３５）は前記第１のカム構成（３４）より小さい断面寸法を有し、それによって、前記第２のカム構成は、前記引っ張り棒を前記締め付け装置の中に設置する間に、前記第１の台座開口部及び前記引っ張り棒開口部（２８）を通して挿入可能である、締め付け装置。
【請求項２】
前記引っ張り棒開口部（２８）は、前方向に引き伸ばされた部分（３９）を伴って形成された主として円形状を有する、請求項１に記載の締め付け装置。
【請求項３】
前記引っ張り棒（１９）は、前記開口部（２８）の周りの領域において、平らで、かつ薄い本体部分（４０）を伴って形成される、請求項１又は２に記載の締め付け装置。
【請求項４】
前記カムシャフト（１６）は、前記ハウジング（１３）を突き抜けることがないように、短い、請求項１から３のいずれか一項に記載の締め付け装置。
【請求項５】
後端部から前端部まで前記ハウジング内で延伸し、かつ前記第２のカム構成（３５）と前記ハウジング（１３）の外側の周囲との間の領域において、前記カムシャフト（１６）をかわすように通過する流路（５０）が提供される、請求項４に記載の締め付け装置。
【発明の詳細な説明】
【技術分野】
【０００１】
本発明は、孔を伴って形成された工具保持脚部を解放可能に保持するための締め付け装置に関し、締め付け装置は：
前方に面する表面、及び前方に面する表面と交差し、かつ工具保持脚部を受け入れるために前方に面する表面から後方に延伸する孔を有するハウジング；
孔の内側で往復運動可能に設置された引っ張り棒であって、前端部において、工具保持脚部の孔の内側の係合構成と係合するように適合された係合手段を備え、後部において、引っ張り棒の長手方向の軸に関して横方向に引っ張り棒を通って延伸する引っ張り棒開口部を伴って形成された、引っ張り棒；並びに
引っ張り棒開口部を通って延在し、かつカム構成を備えるカムシャフトであって、ハウジング内で回転可能にジャーナル支持され、かつカムシャフトを回転させるときの、カム構成によってハウジングに関する引っ張り棒の軸方向の移動を与えるように適合された、カムシャフトを備える。
【背景技術】
【０００２】
上の導入部分で概説された締め付け装置は、製造業内で、よく知られており、かつ様々な材料の加工対象物の機械加工のための種々の工具を保持するために当該製造業内で広く使用されている。締め付け装置は、随意に、例えば、ドリル若しくはフライス工具を保持するために、回転可能なスピンドル上に配置され得、又は例えば、旋削工具を保持するために回転不可能であり得る。
【０００３】
この種の締め付け装置を用いることの１つの大きな利点は、約１００°から２００°までカムシャフトを単に回転させることによって工具の素早い締め付けを可能にし、それは、工具が大きな力でハウジングの設置孔に引き込まれること、かつそれによって、締め付け装置によってしっかりと保持されることをもたらす。また、工具の解放は、容易であり得、かつカムシャフトを逆方向へ回転させることによって急速に実行され得る。通常は、工具保持脚部と同様にハウジングの孔は、また、それらが工具から後方へ軸方向に先細になるように、わずかに円錐状に作られている。このやり方において、工具と締め付け装置との間の接続は、また、任意の動きを完全に免れ、このことは、工具による高精度な機械加工を可能にする正確な位置に工具が保持されることをもたらすに違いない。
【０００４】
しかしながら、この種の先行技術の締め付け装置を用いることの１つの欠点は、工具保持脚部の望ましい断面寸法が頻繁に使用されることによって、引っ張り棒が、ハウジングの前端部からその孔を通して挿入されることができないように、比較的大きな断面寸法を伴って作られるということである。引っ張り棒がそのような大きな断面寸法を伴って作られなければならない理由は、引っ張り棒開口部が、締め付け及び解放の間にカムシャフトの回転を実行するオペレータのために、カムシャフトの望ましい移動及び望ましい力の低減を提供するために、十分なサイズのカム構成を有するカムシャフトを受け入れる必要があるからである。しかしながら、それによって工具保持脚部が脚部孔の中へ引き込まれる望ましい力に耐えるために、引っ張り棒の十分な引張強度を保証するために、引っ張り棒開口部を取り囲む引っ張り棒の残っている脚部分は、十分な断面寸法を伴って作られなければならない。締め付け装置の先行技術の設計の実施例は、本明細書におけるこれ以後の本発明の詳細な説明との関連でより詳細に説明される。したがって、締め付け装置を組み立てる場合に、引っ張り棒を適当な場所に位置決めするために、引っ張り棒は、現在まで、締め付け装置の後端部から挿入されてきており、又は脚部孔スリーブが、引っ張り棒が前端部からハウジングの中へ挿入された後で、締め付け装置の前端部に設置されてきた。このことの１つの結論は、締め付け装置の全体の寸法が、望ましいものと比べて小さく、かつ細く作られることができないということである。別の結論は、締め付け装置は、締め付け装置を製造することがより高価になることをもたらす余剰な設置詳細部分を備えるということであり、それは材料の費用及び組立を実行するための費用の両方に関するものである。
【発明の概要】
【０００５】
本発明の目的は、それによって引っ張り棒がハウジングの前端部からその孔を通ってハウジングの中へ挿入される、締め付け装置を提供することである。少なくともこの目的は、請求項１に記載の締め付け装置によって達成され得る。
【０００６】
したがって、本発明の基礎は、引っ張り棒がハウジングの前端部からハウジングの孔を通って挿入され得るように、非常に小さい全体の断面寸法を有する引っ張り棒が作られ得るという洞察である。このことは、先行技術の締め付け装置におけるように、単一の連続的なカム構成の代わりに、中間の円形円筒部分によって間隔が空けられた第１及び第２のカム構成が提供されることによって達成される。第１及び第２のカム構成は、引っ張り棒のそれぞれの側のハウジング内の第１及び第２の支持開口部内において回転可能にジャーナル支持され、一方、円形円筒部分は、引っ張り棒の開口部内に位置決めされる。カムシャフトが回転される場合、各々のカム構成の第１及び第２のカム表面は、カムシャフトの円形円筒部分が前方又は後方へ移動される引っ張り棒上で作動するように、締め付け装置の中心軸に沿って長手方向にカムシャフトを前方又は後方へ移動させる。第２のカム構成は第１のカム構成によりも小さく、それによって、第２のカム構成は、締め付け装置の組立ての間に引っ張り棒開口部を通り抜けることができるが、第１及び第２のカム構成の第１及び第２のカム表面は、角度毎に同じカムピッチを伴って形成される。このやり方において、引っ張り棒の断面寸法と同様に引っ張り棒開口部は、小さく作られることができ、それによって、引っ張り棒は、締め付け装置の前端部から設置孔を通って挿入されることができる。
【０００７】
本発明が、特許請求の範囲内で、多くの種々のやり方によって変形され得、かつ修正され得ることは明らかである。例えば、本明細書のこれ以後において説明され、かつ示される本発明の例示的な実施形態において、締め付け装置の設置孔は、円錐状に形成され、かつ類似するように形作られた設置脚部を有する工具保持部を締め付けるために、いくらか「三角形」又は多角形の断面を有する。しかしながら、設置孔は、また、他のタイプの設置脚部を締め付けるために種々の形を有し得る。
【０００８】
この出願全体の説明及び特許請求の範囲において、「前方」という用語は、それを通って工具保持脚部が締め付けの間に挿入される、設置孔の外側開口部に向かう方向又は位置を示すために使用される。その類推において、「後部」又は「後方」という用語は、設置孔の外側開口部から離れる方向又は位置を示すために使用される。
【０００９】
本発明による締め付け装置の例示的な実施形態と同様に、先行技術の締め付け装置の実施形態が、本明細書のこれ以後において図面を参照しながら説明される。
【図面の簡単な説明】
【００１０】
【図１】先行技術の締め付け装置の実施形態を示している。
【図２】先行技術の締め付け装置の実施形態を示している。
【図３】先行技術の締め付け装置の実施形態を示している。
【図４】工具保持部に結合された本発明による締め付け装置の斜視図である。
【図５】図４による分解斜視図である。
【図６】締め付け装置のカムシャフトの上方からの斜視図である。
【図７】図６によるカムシャフトの下方からの斜視図である。
【図８】図６及び図７によるカムシャフトの側面図である。
【図９】図６から図８のカムシャフトの下からの図である。
【図１０】締め付け装置の引っ張り棒の平面図である。
【図１１】図１０における引っ張り棒の側面図である。
【図１２】初期段階、ロックされていない段階における中心線に沿った、締め付け装置及び工具保持部を通る長手方向の断面である。
【図１３】締め付け装置の側面図である。
【図１４】ロックされていない段階における、図１３のＸＩＶ線に沿った長手方向の断面である。
【図１５】ロックされていない段階における、図１３のＸＶ線に沿った長手方向の断面である。
【図１６】ロックされていない段階における、図１３のＸＶＩ線に沿った長手方向の断面である。
【図１７】ロックされていない段階における、図１３のＸＶＩＩ線に沿った断面である。
【図１８】起動された段階、ロックされた段階における、中心線に沿った締め付け装置及び工具保持部を通る長手方向の断面である。
【図１９】締め付け装置の側面図である。
【図２０】ロックされた段階における、図１９のＸＸ線に沿った長手方向の断面である。
【図２１】ロックされた段階における、図１９のＸＸＩ線に沿った長手方向の断面である。
【図２２】ロックされた段階における、図１９のＸＸＩＩ線に沿った長手方向の断面である。
【図２３】ロックされた段階における、図１９のＸＸＩＩＩ線に沿った長手方向の断面である。
【発明を実施するための形態】
【００１１】
（先行技術の締め付け装置の詳細な説明）
請求項１の前文による先行技術の締め付け装置が、今や、図１から図３を参照することによって短く説明される。この先行技術の締め付け装置は、回転不可能な種類のものであり、例えば、旋削工具を保持するように適合されている。図１から明らかなように、締め付け装置１の外側ハウジングは、概して箱状に形作られ、かつ概略的に示されている工具保持部２に接続されるように示されている。図２は、締め付け装置の中に備えられる全ての個別の構成要素を示す、締め付け装置及び工具保持部の分解斜視図である。構成要素のうちの１つは、ハウジングの中の孔４に挿入される引っ張り棒３である。引っ張り棒３は、締め付け機構を制御し、その機能はここでは説明されず、工具保持部がしっかりと締め付け機構に結合されるロックされた段階と、工具保持部が締め付け装置から解放される解放段階との間にある。締め付け機構の制御は、ハウジングの中の孔４の軸方向における引っ張り棒３の移動によって実行される。引っ張り棒の移動は、今度は、ハウジングを通って、かつ引っ張り棒内の開口部を通って延在するカムシャフト５を回転させることによって実行され、かつカムシャフト５は、引っ張り棒を通る開口部の後部表面上で望ましいように作動することができるカム構成が提供され、カム構成は、引っ張り棒を後方に移動させ、又は前方表面上で望ましいように作動することができるカム構成が提供され、それは、適切に、引っ張り棒を前方に移動させる。
【００１２】
しかしながら、解放カム表面と同様にロッキングカム平面を備えるカム構成のために、カムシャフトは、どちらかというと大きい断面寸法を有し、その結果、引っ張り棒の開口部は、そのカム構成を有するカムシャフトを受け入れるために、対応する大きな断面寸法を有するように形成されなければならない。結果として、引っ張り棒は、引っ張り棒の前方部分及び後部分を接続し、かつ引っ張り棒開口部のそれぞれの側部上に位置付けられる、脚部分もまた生じる得る力に耐えるために特定の断面寸法を有しなければならないので、どちらかというと大きい断面寸法を有するように形成される。これは、工具及び工具保持部のための設置脚部の一般的に使用される寸法を伴って、引っ張り棒が、通路が小さすぎるので、締め付け装置の前端部から挿入されることができないということをもたらす。本明細書において開示される先行技術の締め付け装置において、この問題は、工具保持部の設置脚部のための脚部孔を画定するハウジングの孔４内に個別のスリーブ６を設置することによって解決されてきた。したがって、引っ張り棒は、脚部孔スリーブ６を設置する前に、ハウジングの中へ設置される。
【００１３】
そのような解決法の１つの問題は、締め付け装置を製造するための費用が増加するということである。別の問題は、個別の脚部孔スリーブを使用することは、それ自身の製造公差を有する１つの更なる構成要素を導入するということであり、それは、工具によって実行される機械加工作業の精度を悪化させる。
（本発明による締め付け装置の実施形態の詳細な説明）
【００１４】
最初に図４及び図５が参照され、それらの中では、本発明による締め付け装置１０、及び締め付け装置の前端部に結合された概略的なカットオフされた工具保持部１１が、斜視図において示されている。工具保持部は、ここで概略的に示されており、それによって、そのカットオフ、後端部だけが示されているが、実際には、機械加工工具の何らかの形態が工具保持部に接続され、それは、工具保持部と統合されるか、又は個別の接続された部品としてかのいずれかにおいてである。後端部において、締め付け装置は、設置胴部１２が提供され、それは、例えば、示されていない作業機械の回転するスピンドルなどに接続されるように適合される。締め付け装置は、内側の孔１４を有する、いくらか細長い円筒状の形のハウジング１３を備える。そのエンベロープ表面において、ハウジングは、ハウジングを通るカムシャフト１６の設置のための孔１５が提供され、かつそれは、カムシャフトの端部においてヘックスソケットドライブ（ｈｅｘ  ｓｏｃｋｅｔ  ｄｒｉｂｅ）１７の形態における係合構成へのアクセスを与える。
【００１５】
図５は、締め付け装置の部分を形成する様々な構成要素を示す、図４による締め付け装置及び工具保持部１１の分解斜視図である。締め付け装置のように、また、工具保持部は設置脚部１８が提供され、それらは両方とも、示されている実施形態において、両方ともＵＳ５３４０２４８において開示される種類のものであり、軸方向の孔、及びいくらか「三角形」又は多角形、すなわち円形ではない断面を有する円錐状の脚部を備え、それは、対応するように形作られた孔１４の中へ引き込まれるように適合される。円錐状の形状は、軸方向と同様に半径方向の動きがない接続を保証し、一方、「三角形」又は多角形の形状は、設置孔に関する設置脚部の回転不可能な固定を保証する。工具保持部の設置脚部１８を締め付け装置の設置孔に引き込むために、後者は、円筒形状に形成されたハウジング１３の孔１４内に配置される、引っ張り棒１９、圧縮バネ２０、スラストリング２１、弾力性を有するオーリング２２、複数の係合セグメント２３、２つの断片に分割された補強リング２４、及びストップリング２５を備える結合機構が提供される。２つの密封リング２６が、また、引っ張り棒とハウジングの内側の孔との間に配置される。孔１５は、ハウジングの中心軸２７に垂直なハウジングの壁を通って形成され、かつ組立てられた状態において、カムシャフト１６は、孔の中へ挿入され、かつ引っ張り棒開口部２８を通って挿入される。カムシャフトが孔１５の中へ挿入された後に、カムシャフトの除去を妨げるために、カバー２９が孔覆って位置決めされ、かつネジによって固定され、今度は、カバー２９に、組立て状態においてカムシャフトを設定するためのヘックスソケットレンチ（ｈｅｘ  ｓｏｃｋｅｔ  ｗｒｅｎｃｈ）の挿入のために、ヘックスソケットドライブ１７に対するアクセスを可能にする、通り孔３０が提供される。
【００１６】
カムシャフト１６は、図６及び図７による上から及び下からのそれぞれの図においてより詳細に示され、図８による側面図及び図９による端面図のそれぞれの図においてより詳細に示され、図９は、図６から図８の下から見られたものである。上側端部において、カムシャフトは、ヘックスソケットドライブ１７を伴って形成された頭部を備える。ヘックスソケットドライブの一部分の周りで、頭部は、ハウジングの中への挿入の深さを画定するフランジ３１が提供され、かつカムシャフトの最大回転角度を制限するためのハウジングの孔１５内でストップ表面と相互作用するように適合されたストップラグ３２が提供される。
【００１７】
今度は図１０及び図１１を参照すると、引っ張り棒１９は、平面図及び側面図においてそれぞれ示されている。カムシャフト１６は、引っ張り棒の一側部から開口部２８を通って挿入されるので、開口部は、カムシャフトを通すために十分に大きい断面寸法を有しなければならない。２つの脚部分３３は、互いに関して引っ張り棒の前方及び後方部分と相互作用し、工具保持部の締め付けの間に引っ張り棒が晒される大きい力に耐えるために、十分な断面寸法を有する必要があるので、この状態は、引っ張り棒の最も大きい断面寸法がどれだけ大きくなり得るかに対する決定要素のうちの１つである。したがって、ハウジングの前端部から締め付け孔１４を通してハウジングの中へ引っ張り棒が挿入され得る程度に、引っ張り棒の断面寸法を制限するために、カムシャフトの最も大きな断面寸法を制限することが、また、必要である。本発明にしたがって、これは、カムシャフトが、２つのカム構成、かつより正確には、フランジ３１に隣接して位置決めされた第１の大きいカム構成３４、及びカムシャフトの他方の端部において位置決めされた第２の小さいカム構成３５を備え、かつそれらが円形円筒部分３６によって間隔を空けられることによって達成される。図１３、図１５、図１９、及び図２１から最も良く見られるように、カム構成は、引っ張り棒の対向する側のハウジング内において、第１及び第２の台座開口部３７、３８内でそれぞれジャーナル支持されるように適合される。カム構成３４及び３５は、異なるサイズを有しているが、それらが各々、第１のカム表面３４’、３５’を伴って形成され、各々は、角度毎に同じカムピッチを有し、同様に、第２のカム表面３４”、３５”を伴って形成され、各々は、角度毎に同じカムピッチを有する程度に、同じように形作られている。中間の円形円筒部分３６は、締め付け装置の組立て状態において、引っ張り棒の開口部２８内に位置決めされる。これは、小さいカム構成３５を有するカムシャフトの端部が、その中心軸２７に垂直な方向の比較的小さい幅を有する引っ張り棒の開口部を通り抜けることができるという結果をもたらす。このやり方において、引っ張り棒の最大幅は、締め付け装置の前端部から締め付け孔１４を通して挿入されることができ、かつ未だに脚部分３３の断面寸法が、工具保持部の締め付けの間に生じる力に耐えるために十分に大きい程度に、制限されることができる。図１０から明らかなように、引っ張り棒の開口部２８は、主として円形状を有している。しかしながら、前方に面する開口部の一部上において、開口部は、その中心軸２７の方向に引き伸ばされた部分３９を伴って形成される。カムシャフト１６を開口部２８を通して挿入する間に、第２のカム構成３５の最も大きな断面寸法は、それ故、中心軸と平行に配置されることができ、かつ開口部の引き伸ばされた部分３９を通過することができ、それは、中心軸に垂直な方向における開口部の幅を制限することを可能にし、かつしたがって、また、引っ張り棒の全体の幅を制限することを可能にする。
【００１８】
図１０及び図１１から更に見られ得るように、引っ張り棒１９の開口部は、引っ張り棒の後部において比較的平らで、かつ薄い本体部分４０内に形成される。その前端部において、引っ張り棒は、首部４２を介して本体部分に接続されるドローヘッド４１を伴って形成される。首部と本体部分との間において、引っ張り棒は、また、円形フランジ４３、及び密封リング２６を受け入れるための溝４４を伴って形成される。
【００１９】
今度は図１２から図１７を参照すると、工具保持部が締め付け装置の設置孔１４の中へその設置脚部１８を用いてちょうど挿入されてしまった、又は工具保持部が締め付け装置から除去される場合のロックされていない状態が示されている。図１２は、全てのその構成要素が適切な位置に設置された、組立てられた工具保持部１１及び締め付け装置１０の中心軸２７に沿った断面である。図１３は、カムシャフトに平行な締め付け装置の側面図であり、かつ図１４から図１７が、カムシャフト１６及び引っ張り棒１９の締め付けられていない状態において見られる、長手方向の断面をここに示している。単純化のために、締め付け装置は、図１４から図１７において、工具保持部及び結合機構なしに示されている。
【００２０】
図１２から図１７において、締め付け装置は、工具保持部が締め付け装置からロックされていない、カムシャフト１６が反時計回りに回転された初期状態にある。見られるように、係合セグメント２３は、首部と、工具保持部の設置脚部１８内の係合孔の内側表面との間に生成された空間において、引っ張り棒の首部４２の周りに設置されている。係合セグメント２３は、２つの構成要素を有する補強リング２４の内側の溝と係合している各々の係合セグメントの外側延伸フランジ部４５によって適切な位置に保持され、かつ弾力性を有するオーリング２２は、係合セグメントの後端部における外側に面する溝構成内に位置決めされる。係合セグメントの前端部は、外側に向けられた係合フランジ４６と共に形成され、それらは、工具保持部の係合孔の内側の内側係合溝４７との係合へ向かうように適合されているが、係合溝との係合から外れたこの初期状態にある。更に、圧縮バネ２０が、ハウジングの肩面４８とスラストリング２１との間に設置され、かつ補強リング２４及び係合セグメント２３をストップリング２５に抗して前方へ押すのと同様に、スラストリング２１を押す。このロックされていない状態において、カムシャフトは、第１及び第２のカム部分３４、３５の第２のカム表面３４”、３５”が、支持開口部３７、３８（図１４及び図１６参照）の後部の座面３７”及び３８”上でそれぞれ作動するように回転され、それによって、カムシャフト１６は前方へ移動され、かつ円筒部分３６は、引っ張り棒内の開口部の前方表面上で作動し、かつしたがって、引っ張り棒は前方へ移動される。。
【００２１】
今度は図１９から図２３を参照すると、それらは図１２から図１７と類似している。しかしながら、ここで、締め付け装置は、設置脚部１８が結合機構によって締め付け装置に結合され、引っ張り棒１９及びカムシャフト１６によって引かれ、大きな力が設置孔１４内のしっかりした係合へと強いる、ロックされた状態又は締め付けられた状態にある。
【００２２】
これは、カムシャフトが、図１２から図１７による初期状態から、ロックされていない位置からロックされた位置へ時計回りに回転されることによって達成され、ここで、第１及び第２のカム構成３４、３５の第１のカム表面３４’、３５’は、ハウジングの台座開口部３７、３８の前方の座面３７’、３８’上で作動し、それらはカムシャフト１６を後方へ移動させ、一方、円筒部分３６は、引っ張り棒内の開口部の後部表面上で作動し、かつしたがって、引っ張り棒は後方へ移動される。このロックされた位置は、図１８による中心軸に沿った長手方向の断面において示されている。この図面から見られ得るように、スラストリング２１、補強リング２４、及び係合セグメント２３は、未だ、圧縮バネ２０によってストップリング２５に向かって前方に押され、一方、引っ張り棒１９は、上述されたように、カムシャフト１６によって後方へ引かれる。このことは、係合セグメントの前端部が、ドローヘッド４１の後方に面する斜めの表面４９上でスライドするように、ドローヘッド４１が、係合セグメント２３に関して内側に移動されることをもたらす。このやり方において、係合セグメントの前端部上の係合フランジ４６は、外側へ移動され、かつ工具保持部の係合孔の内側係合溝４７の中へ移動され、それによって、工具保持脚部１８は、引っ張り棒１９によって、ハウジング内の設置孔１４の表面に抗するしっかりとした支持へと引かれる。
【００２３】
本明細書において開示された締め付け装置の更なる利点は、締め付け装置の後端部から工具保持脚部への冷却媒体、液体、又は気体の流通のための流路５０が提供されることである。そのような冷却システムを提供することの１つの難しさは、カムシャフト１６が受け入れられる空間を通って、流体が通過することは望ましくないということである。１つの理由は、冷却流体の漏れを妨げるためにカムシャフトを密封することが困難だからである。別の問題は、何らかの形態の潤滑剤が、通常、カムシャフトの滑り面と引っ張り棒との間で使用され、そのような潤滑剤は、そこを通って冷却媒体が流れる場合に、洗い流されてしまうということである。これらの問題は、カムシャフトがハウジング１３を突き抜けることがないように、カムシャフト１６を短くすることと同様に、開口部２８の周りの領域において比較的平らで薄い本体部分４０を有する引っ張り棒１９を形成することによって克服された。このやり方において、流路は、第２のカム構成３５の端部とハウジング１３の外側周囲との間の領域において、ハウジング内でカムシャフトをかわすように通過することができる。流路は、締め付け装置の後端部において設置胴部１２内の係合孔５１からの直状孔と同様に、前端部の設置孔１４から直状孔を穿つことによって形成され得、ここで、直状孔は、カムシャフトとハウジングの外側周囲との間の領域内の角で合致する。
【符号の説明】
【００２４】
１  締め付け装置
２  工具保持部
３  引っ張り棒
４  ハウジングの孔
５  カムシャフト
６  スリーブ
１０  締め付け装置
１１  工具保持部
１２  設置胴部
１３  ハウジング
１４  ハウジングの孔
１５  孔
１６  カムシャフト
１７  ヘックスソケットドライブ
１８  工具保持脚部
１９  引っ張り棒
２０  圧縮バネ
２１  スラストリング
２２  弾力性を有するオーリング
２３  複数の係合セグメント
２４  補強リング
２５  ストップリング
２６  密封リング
２７  中心軸
２８  引っ張り棒開口部
２９  カバー
３０  通り孔
３１  フランジ
３２  ストップラグ
３３  引っ張り棒の脚部分
３４  第１のカム構成
３４’  第１のカム表面
３４”  第２のカム表面
３５  第２のカム構成
３５’  第１のカム表面
３５”  第２のカム表面
３６  円形円筒部分
３７  台座開口部、支持開口部
３７’  前方の座面
３７”  後部の座面
３８  台座開口部、支持開口部
３８’  前方の座面
３８”  後部の座面
３９  開口部の引き伸ばされた部分
４０  引っ張り棒の本体部分
４１  ドローヘッド
４２  首部
４３  円形フランジ
４４  密封リングを受け入れるための溝
４５  外側延伸フランジ部
４６  係合フランジ
４７  内側係合溝
４８  ハウジングの肩面
４９  ドローヘッドの後方に面する斜めの表面
５０  流路
【図１】
0006605879.tif 000002
【図２】
0006605879.tif 000003
【図３】
0006605879.tif 000004
【図４】
0006605879.tif 000005
【図５】
0006605879.tif 000006
【図６】
0006605879.tif 000007
【図７】
0006605879.tif 000008
【図８】
0006605879.tif 000009
【図９】
0006605879.tif 000010
【図１０】
0006605879.tif 000011
【図１１】
0006605879.tif 000012
【図１２】
0006605879.tif 000013
【図１３】
0006605879.tif 000014
【図１４】
0006605879.tif 000015
【図１５】
0006605879.tif 000016
【図１６】
0006605879.tif 000017
【図１７】
0006605879.tif 000018
【図１８】
0006605879.tif 000019
【図１９】
0006605879.tif 000020
【図２０】
0006605879.tif 000021
【図２１】
0006605879.tif 000022
【図２２】
0006605879.tif 000023
【図２３】
0006605879.tif 000024